(57)【要約】【課題】空気調和機と外部機器を用いて容易に快適な住環境を創造する。【解決手段】赤外線受光素子を用いたワイヤレス受信部からなる制御信号入力手段１と、少なくとも室温を検出する室温検出手段２と、空気調和機の各種制御を行なう制御データ作成手段３と、外部機器を制御する端末装置へ室温データを含む前記制御データ転送を行なうデータ転送手段４とを備え、前記データ転送手段は、シリアルデータ転送としたものである。【選択図】図１
2006329498.tif 000002
【特許請求の範囲】
【請求項１】
赤外線受光素子を用いたワイヤレス受信部からなる制御信号入力手段と、少なくとも室温を検出する室温検出手段と、空気調和機の各種制御を行なう制御データ作成手段と、外部機器を制御する端末装置へ室温データを含む前記制御データ転送を行なうデータ転送手段とを備え、前記データ転送手段は、シリアルデータ転送とした空気調和機の制御装置。
【請求項２】
データ転送手段を片方向のシリアルデータ転送とした請求項１に記載の空気調和機の制御装置。
【請求項３】
データ転送手段を赤外線発光素子を用いたワイヤレス送信部とした請求項２に記載の空気調和機の制御装置。
【請求項４】
制御データ作成手段を室内および室外で検出されるデータを使用するとした請求項１または２または３に記載の空気調和機の制御装置。
【発明の詳細な説明】
【技術分野】
【０００１】
本発明は、ワイヤレスリモコンを具備し、室内環境情報データを外部機器制御用端末装置に送信する空気調和機の制御装置に関するものである。
【背景技術】
【０００２】
従来、この種の空気調和機では赤外線信号を用いてワイヤレスリモコンと双方向通信を行う事により、室内温度や室内湿度をリモコン上に表示している
図５は、未公開自社出願の特願２００３−２８８７６７号に記載された従来の空気調和機の制御装置を示すものである。図５に示すように、空気調和機の室内ユニット６と、液晶表示部８を具備し赤外線を用いた双方向リモコン７から構成されている。
【発明の開示】
【発明が解決しようとする課題】
【０００３】
しかしながら、前記従来の構成では、ユーザーがワイヤレスリモコンを操作する事により、空気調和機の室内ユニットが検出している室内温度あるいは室内湿度のデータを室内ユニットから送信し、ワイヤレスリモコンがデータを受信し、液晶上にそのデータを表示するものであり、ユーザーは液晶上の表示を基に加湿器、除湿機、空気清浄器、換気扇や他の加熱機等の外部機器をそれぞれ専用のリモコン等を個別に制御しなければならないという課題を有していた。
【０００４】
本発明は、前記従来の課題を解決するもので、安価かつリモコンの操作性を損ねることなく、快適な住環境を実現する空気調和機の制御装置を提供することを目的とする。
【課題を解決するための手段】
【０００５】
前記従来の課題を解決するために、本発明の空気調和機の制御装置は、赤外線受光素子を用いたワイヤレス受信部からなる制御信号入力手段と、少なくとも室温を検出する室温検出手段と、空気調和機の各種制御を行なう制御データ作成手段と、外部機器を制御する端末装置へ室温データを含む前記制御データ転送を行なうデータ転送手段とを備え、前記データ転送手段は、シリアルデータ転送としたものである。
【０００６】
これによって、赤外線を用いたワイヤレス信号に応じて室温データを含む制御データの送信を実施し、データを受信した端末装置が外部機器を制御することとなり、安価かつリモコンの操作性を損ねることなく、快適な住環境が実現される。
【０００７】
また、本発明の空気調和機の制御装置は、データ転送手段を赤外線発光素子を用いたワイヤレス送信部としたものである。
【０００８】
これによって、空気調和機と端末機器との接続が不要となり、端末機器の設置性が向上することとなる。
【発明の効果】
【０００９】
本発明の空気調和機の制御装置は、空気調和機の制御データを用いて外部機器を制御することが可能となり、ユーザーによるリモコンの操作性を損ねることなく、安価で快適性に富むホームオートメーションを実現することができる。
【発明を実施するための最良の形態】
【００１０】
第１の発明は赤外線受光素子を用いたワイヤレス受信部からなる制御信号入力手段１と
、少なくとも室温を検出する室温検出手段２と、空気調和機の各種制御を行なう制御データ作成手段３と、外部機器を制御する端末装置へ室温データを含む前記制御データ転送を行なうデータ転送手段４とを備え、前記データ転送手段は、シリアルデータ転送とすることにより、受信した制御データを用いて端末装置５が外部機器を制御することとなり、ユーザーによるリモコンの操作性を損ねることなく、安価で快適性に富むホームオートメーションを実現することができる。
【００１１】
第２の発明は、特に、第１の発明のデータ転送手段を片方向のシリアルデータ転送とすることにより、信号線を削減することとなり安価に制御システムを構築することができる。
【００１２】
第３の発明は、特に、第２の発明のデータ転送手段を赤外線発光素子を用いたワイヤレス送信部とすることにより、信号線が不要となり端末装置の設置性を向上することができる。
【００１３】
第４の発明は、特に、第１〜３のいずれか１つの発明の制御データ作成手段で室内および室外で検出されるデータを使用することにより、室外環境を考慮した外部機器の細かな制御が可能となり、省エネ性の向上や体感性の向上を実現することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における制御装置のブロック構成を示すものである。図１において、制御信号入力手段は赤外線受光部からなる。室温検出手段は室温センサからなる。ワイヤレス信号データと室温データおよび制御状況データを基に定められたデータフォーマットに制御データを作成する制御データ作成手段。データ転送手段は前記制御データをシリアルデータとしてデータ転送するものであり、外部機器を制御する為に赤外線送信部を有する端末装置と有線で接続されて、空気調和気の制御装置を構成している。
【００１６】
図２は、本発明の第１の実施の形態における動作を示すフローチャートである。以上のように構成された空気調和気の制御装置について、図２をもちいて以下その動作、作用を説明する。
【００１７】
まず、空気調和機が運転中もしくは停止中において、ステップＲ１で赤外線によるワイヤレス信号の有無を判定する。ワイヤレス信号が無ければステップＲ２に進み通常の運転（停止）動作処理を行う。ワイヤレス信号が検出されればステップＲ３の受信処理に進みワイヤレス信号の入力とデータの復調を行う。ステップＲ４で復調されたワイヤレス信号が、制御データ要求信号か否かの判定を行う。制御データ要求信号でなければステップＲ２に移行し、制御データ要求信号の場合ステップＲ５に進む。ステップＲ５において、室温センサからの信号を基に室温データを検出する。ステップＲ６に進み、室温データと内部制御情報およびワイヤレスリモコン設定情報を基に、定められたデータフォーマットに従った制御データを作成する。ステップＲ７に進み、シリアルデータポート設定を行い、ステップＲ６で作成された制御データをシリアル出力することにより、端末機器に制御データが転送されることとなる。
【００１８】
以上のように、本実施の形態においては室温データを含む制御データを空気調和機の制御装置から端末装置に転送して外部機器を制御することが可能となり、ユーザーによるリモコンの操作性を損ねることなく、安価で快適性に富むホームオートメーションを実現す
ることができる。
【００１９】
また、本実施の形態のシリアルポートを出力のみの使用とすることにより、特に、空気調和機の制御装置と端末機器の間の接続線を削減する事が可能となり、システム構成時の設置性の向上およびコスト低減することができる。
【００２０】
（実施の形態２）
図３は、本発明の第２の実施の形態における動作を示すフローチャートである。図３において第１の実施例と同じ処理については同一ステップ番号を付与することとして説明を割愛する。ステップＲ８では、ステップＲ６で作成した制御データに応じて、赤外線信号送信部を接続した出力ポートをＯＮ−ＯＦＦ制御することで、制御データをワイヤレス信号として出力する。これにより、赤外線信号受信部を持つ端末装置に制御データが転送される。
【００２１】
この実施形態によれば、信号線が不要となり端末装置の設置性を向上することができる。
【００２２】
（実施の形態３）
図４は、本発明の第３の実施の形態における動作を示すフローチャートである。図４において第１の実施例と同じ処理については同一ステップ番号を付与することとして説明を割愛する。ステップＲ９において、室外気温センサからの信号を基に室外気温データを検出する。ステップＲ１０に進み、室温データと室外気温データと内部制御情報およびワイヤレスリモコン設定情報を基に、定められたデータフォーマットに従った制御データを作成する。
【００２３】
この実施形態によれば、室内および室外で検出されるデータを使用することにより、室外環境を考慮した外部機器の細かな制御が可能となり、省エネ性の向上や体感性の向上を実現することができる。
【産業上の利用可能性】
【００２４】
以上のように、本発明にかかる空気調和機の制御装置は、空気調和機の制御データを用いて外部機器を制御することが可能となり、ユーザーによるリモコンの操作性を損ねることなく、安価で快適性に富むホームオートメーションを実現することができる。
【図面の簡単な説明】
【００２５】
【図１】本発明の実施の形態１における制御装置のブロック図
【図２】本発明の実施の形態１における動作を示すフローチャート
【図３】本発明の実施の形態２における動作を示すフローチャート
【図４】本発明の実施の形態３における動作を示すフローチャート
【図５】従来の空気調和機の室内機とリモコンの位置関係図
【符号の説明】
【００２６】
１  制御信号入力手段
２  室温検出手段
３  制御データ作成手段
４  データ転送手段
５  端末装置
【図１】
2006329498.tif 000003
【図２】
2006329498.tif 000004
【図３】
2006329498.tif 000005
【図４】
2006329498.tif 000006
【図５】
2006329498.tif 000007